(57)【要約】      （修正有）【課題】雨水桝に水が溜まらないようにして蚊の発生を防止することができる雨水桝を提供する。【解決手段】排水口５の下端まで投入された砂利部３と、砂利部３に重ねて配置された砂防堤２とを備えた雨水桝１であって、砂防堤２は、天面と側面の一方が開いた箱型であり、また、雨水桝１の排水口５が設けられた内面９と、内面９と対向する砂防堤２の端面７とが、近接して配置された構成とした。これにより雨水桝への雨水の流入がなくなれば、雨水桝の内部には雨水がなくなり、水溜りを無くすことができるので、蚊の発生を防止することができる。【選択図】図２
0003208077.tif 000002
【実用新案登録請求の範囲】
【請求項１】
排水口の下端まで投入された砂利部と、前記砂利部に重ねて配置された砂防堤とを備え
た雨水桝であって、前記砂防堤は、天面と側面の一方が開いた箱型であり、また、前記
雨水桝の前記排水口が設けられた内面と、前記内面と対向する前記砂防堤の端面とが近接  
して配置されたことを特徴とする雨水桝。
【請求項２】
前記雨水桝の前記排水口が設けられた前記内面と、前記内面と対向する前記砂防堤の端
面との隙間は、所定の隙間より小さくしたことを特徴とする請求項１に記載の雨水桝。
【考案の詳細な説明】
【技術分野】
【０００１】
本考案は、雨水桝に砂利を入れて水溜めを無くし、土砂の流出を止める砂防堤を設置す  ることにより、雨水桝での蚊の発生を防止する構造に関するものである。
【背景技術】
【０００２】
従来、雨水桝には土砂流出防止の為、底に水溜まりが設けられ、そこにボウフラが大量  に湧き、蚊が発生している。蚊の媒介によるジカ熱やテング熱が社会問題となっている  。
また、水溜めが有ることにより、悪臭も発生している。
【考案の概要】
【考案が解決しようとする課題】
【０００３】
雨水桝には、土砂が排水パイプに流れ出ないように水溜めを作ってある。その水溜め  にボウフラが湧いて、蚊の発生や悪臭の源になっている。
本考案は、このような従来の構成が有していた問題を解決しようとするものであり、雨  水桝に水が溜まらないようにして蚊の発生を防止することを目的とするものである。
【課題を解決するための手段】
【０００４】
そして、本考案は上記目的を達成するために、排水口の下部まで投入された砂利部と  、
前記砂利部に重ねて配置された砂防堤とを備えた雨水桝であって、前記砂防堤は、天面  と側面の一方が開いた箱型であり、また、前記雨水桝の前記排水口、前記内面と対向す  る前記砂防堤の端面とが近接して配置する構成としたものである。
また、第２の解決手段は、雨水桝の排水口が設けられた内面と、前記内面と対向する  
砂防堤の端面との隙間は、所定の隙間より小さく配置する構成としたものである。
上記第１の解決手段による作用は次の通りである、すなわち、雨水桝に設けられた排  水口の下端まで砂利部を備えているので、雨水桝に流入した雨水は排水パイプを通って  排水され、雨水桝への雨水の流入がなくなれば、雨水桝の内部には雨水が無くなり、雨  水桝の水溜りをなくすことができる。
また、第２の解決手段による作用は、雨水桝の排水口が設けられた内面と、前記内面  と対向する砂防堤の端面との隙間を小さくすることにより、土砂が排水パイプ内に流出  することを防げる。
【考案の効果】
【０００５】
雨水桝の排水口の下端まで砂利部を設けているので、雨水桝に流入した雨水は、排水パ  イプを通って排水され、雨水桝への雨水の流入がなくなれば、雨水桝の内部には雨水が  無くなり、雨水桝の水溜りをなくすことができる。
【０００６】
ボウフラなどが棲息する水溜りがなくなるので、蚊の発生を防止することができる効果  があり、また、悪臭も防ぐことが出来るという効果もある。
【０００７】
また、道路や公園にある既設の雨水桝を、比較的安価で手軽に、蚊の発生しない雨水  桝に改造することができる。
【図面の簡単な説明】
【０００８】
【図１】本考案の第１形態における角型雨水桝の砂利部と角型砂防堤を設置した角型            雨水桝の平面図
【図２】同角型雨水桝を示す図１のA−A線断面図
【図３】同角型雨水桝用の角型砂防堤の斜視図
【図４】同角型雨水桝用の角型砂防堤を示す図３のB−B線断面図
【図５】本考案の第２形態における丸型雨水桝の砂利部と丸型雨水桝用の丸型砂防堤            を設置した丸型雨水桝の平面図
【図６】同丸型雨水桝用の角型砂防堤の斜視図
【図７】同丸型雨水桝用の角型砂防堤を示す図６のC−C線断面図
【図８】本考案の第３形態における丸型雨水桝の砂利部と丸型雨水桝用の丸型砂防堤            を設置した丸型雨水桝の平面図
【図９】同丸型雨水桝用の丸型砂防堤の斜視図
【図１０】同丸型雨水桝用の丸型砂防堤を示す図９のD−D線断面図
【考案を実施するための形態】
【実施例１】
【０００９】
以下、本考案の第１の実施の形態を実施するための角型雨水桝の形態を図１〜図４に基  づいて説明する。
【００１０】
図１においては、道路や公園に設置されている角型雨水桝１に角型砂防堤２と砂利部  ３を設置した平面図である。同図において角型雨水桝１は、角型雨水桝１の側面に排水  パイプ４を接続する排水口５を備えている。また、角型雨水桝１の下部に敷いた砂利部  ３の上に角型砂防堤２を備える。この角型砂防堤２は、天面と側面の一方が開いた箱型  であり、開いた側面には端面７を備えている。また、角型雨水桝１の排水口５を設けた  排水パイプ側の内面９と、角型砂防堤２の端面７とが近接して配置された構成である。  
図２は、図１における,一点鎖線A−A線の断面図である。図２においては、角型雨  水桝１の上部にはグレーチング６を備えている。また、角型雨水桝１の下部で排水口５  の
下端まで敷いた砂利部３の上に角型砂防堤２を備える。図１で説明したように、この角型砂防堤２は、天面と側面の一方が開いた箱型であり、開いた側面には端面７を備え、さらに角型砂防堤２の底面の内側には内側底面８を備えている。なお、図１と同じ符号は同じ部材を示すので説明は省略する。
以下、上記構成の動作を説明する。
雨が降った時など水が角型雨水桝１に流れてきたときで、通常の雨量の場合は、同図における矢印Xに示すように、角型雨水桝１と排水パイプ４との接続口が設けられた排水パイプ側の内面９と、この排水パイプ側の内面９と対向する角型砂防堤２の端面７の隙間から、水は排水パイプ４に流れて排水される。
また、多量の水が角型雨水桝１に流れてきた場合は、同図における矢印Yに示すように、一部は上記同様、角型雨水桝１と排水パイプ４との接続口が設けられた排水パイプ側の内面９と、この排水パイプ側の内面９と対向する角型砂防堤２の端面７の隙間から水は排水パイプ４に流れて排水されるが、大部分の水は、角型砂防堤２の側壁を乗り越えて、水は排水パイプ４に流れて排水される。
雨などの角型雨水桝１への水の流入が無くなれば、角型雨水桝１にあった水は、排水口５の下端まで角型雨水桝１の下部に砂利部３が敷いてあるので、角型雨水桝１の水は、矢印Xまたは矢印Yを通って排水パイプ４に流れる。
図３は角型砂防堤２の斜視図である。同図に示すように、角型砂防堤２は天面と側面の一方が開いた箱型であり、開いた側面には端面７を備えた構成となっている。
また、図４は、図３において一点鎖線B−B線で切断した角型砂防堤２の断面図である。
同図に示すように、角型砂防堤２の底面の内側底面８は、開いた側面に向かって下り勾配になった形状となっている。
【実施例２】
【００１１】
以下、本考案の第２の実施の形態を実施するための丸型雨水桝１０に、丸型雨水桝用の角型砂防堤１１を設置した形態を図５〜図７に基づいて説明する。
【００１２】
図５においては、道路や公園に設置されている丸型雨水桝１０に丸型雨水桝用の角型砂防堤１１と砂利部３を設置した平面図である。
丸型雨水桝１０は、角型雨水桝１と同様に配水パイプ４を備えている。また、丸型雨水
桝１０の下部で排水口５の下端まで敷いた砂利部３の上に丸型雨水桝用の角型砂防堤１１を備える。
図６は、丸型雨水桝用の角型砂防堤１１の斜視図である。同図に示すように、天面と側面の一方が開いた箱型であり、開いた側面は、丸型雨水桝１０の内側にあわせた円弧とし、丸型雨水桝用の角型砂防堤の端面１２を備えた構成となっている。
図７は、図６において、一点鎖線C−C線で切断した丸型雨水桝用の角型砂防堤１１の断面図である。同図に示すように、丸型雨水桝用の角型砂防堤１１の底面の内側底面１３は、開いた側面に向かって下り勾配になった形状となっている。なお、実施例２の作用、動作は、実施例１の作用、動作と同様であるので説明を省略する。
【実施例３】
【００１３】
以下、本考案の第３の実施の形態を実施するための丸型雨水桝１０に、丸型雨水桝用の丸型砂防堤１４を設置した形態を図８〜図１０に基づいて説明する。
【００１４】
図８においては、道路や公園に設置されている丸型雨水桝１０に、丸型雨水桝用の丸型
砂防堤１４と砂利部３を設置した平面図である。
丸型雨水桝１０は、角型雨水桝１と同様に配水パイプ４を備えている。また、丸型雨水桝１０の下部で排水口５の下端まで敷いた砂利部３の上に、丸型雨水桝用の丸型砂防堤１４を備える。
図９は、丸型雨水桝用の丸型砂防堤１４の斜視図である。同図に示すように、天面と側面の一方が開いた箱型であり、開いた側面は、丸型雨水桝１０の内側にあわせた円弧とし、丸型雨水桝用の丸型砂防堤の端面１５を備える。また、前記、丸型砂防堤の端面１５に相対する面の両角を円弧とした構成となっている。
図１０は、図９において、一点鎖線D−D線で切断した丸型砂防堤１４の断面図である。
同図に示すように、丸型雨水桝用の丸型砂防堤１４の底面の内側底面１６は、開いた側面に向かって下り勾配になった形状となっている。なお、実施例３の作用、動作は、実施例１の作用、動作と同様であるので説明を省略する。
【００１５】
また上記、角型砂防堤の端面７と、丸型雨水桝用の角型砂防堤の端面１２と、丸型雨水桝用の丸型砂防堤の端面１５との、それぞれの排水パイプ側の内面９との隙間は、砂利部３が排水パイプ内に流出し難くするために１０ミリ以下が望ましい（砂利部３に投入する砂利として市販の砕石５号程度が適当な大きさであり、その大きさが１３〜１５ミリのため）。
以上のように、それぞれの雨水桝に水の流入が無くなれば、それぞれの雨水桝には水が
溜まらないので、ボウフラの発生及び悪臭を無くす事ができるという効果が得られる。
【産業上の利用可能性】
【００１６】
家や公園、道路沿い等に新しく設ける雨水桝や、既設の雨水桝で、蚊の発生を防止したい雨水桝に利用できる。
【符号の説明】
【００１７】
１  角型雨水桝
２  角型砂防堤
３  砂利部
４  排水パイプ
５  排水口
６  グレーチング
７  角型砂防堤の端面
８  角型砂防堤の底面の内側底面
９  排水パイプ側の内面
１０  丸型雨水桝
１１  丸型雨水桝用の角型砂防堤
１２  丸型雨水桝用の角型砂防堤の端面
１３  丸型雨水桝用の角型砂防堤底面の内側底面
１４  丸型雨水桝用の丸型砂防堤
１５  丸型雨水桝用の丸型砂防堤の端面
１６  丸型雨水桝用の丸型砂防堤底面の内側底面
【図１】
0003208077.tif 000003
【図２】
0003208077.tif 000004
【図３】
0003208077.tif 000005
【図４】
0003208077.tif 000006
【図５】
0003208077.tif 000007
【図６】
0003208077.tif 000008
【図７】
0003208077.tif 000009
【図８】
0003208077.tif 000010
【図９】
0003208077.tif 000011
【図１０】
0003208077.tif 000012